(57)【要約】【課題】検査及び検査データの種類の取り違いによる被検眼の視機能の誤測定を招くことなく被検眼の視機能を適正に測定することができる自覚式検眼装置を提供する。【解決手段】視標呈示装置１３及び矯正装置１４の作動を制御するコントローラ１５に、検査の種類及び検査データの種類の少なくとも一方が他の種類の検査及び検査データに変更されることにより表示部２８の表示画面３２に表示された各画像が前記他の検査の種類及び検査データの種類を示す画像に切り替わったときに、表示画面３２への各画像の表示の切り替わりを知らせるための報知手段５２を設ける。【選択図】図２
2007267821.tif 000002
【特許請求の範囲】
【請求項１】
各種の視標を被検眼に呈示する視標呈示装置と、各種の光学素子を保持し、被検者からの応答に対応した種類の前記光学素子を前記被検眼と前記視標呈示装置との間に選択的に配置する光学素子配置装置と、前記視標呈示装置及び前記光学素子配置装置の作動を制御する制御部と、前記被検眼の各種の検査データを記憶するメモリ部と、複数の種類の検査のうち実行される検査の種類を示す画像及び前記検査に用いるために前記メモリ部から選択された前記検査データの種類を示す画像がそれぞれ表示される表示部とを備え、前記検査の種類及び前記検査データの種類の少なくとも一方が他の種類の前記検査及び検査データに変更されることにより前記表示部に表示された前記各画像が前記他の検査の種類及び検査データの種類を示す画像に切り替わったとき、前記表示部への前記各画像の表示の切り替わりを知らせるための報知手段が設けられていることを特徴とする自覚式検眼装置。
【請求項２】
各種の前記検査データのうち任意の前記検査データを呼び出すための呼出手段が設けられており、前記報知手段は、前記呼出手段によって前記検査データが呼び出されることにより前記表示部に表示された前記検査データの種類を示す前記画像が呼び出された前記検査データの種類を示す画像に切り替わったとき、その切り替わりを知らせることを特徴とする請求項１に記載の自覚式検眼装置。
【請求項３】
前記報知手段は、前記表示部への前記各画像の表示が切り替わったときに該各画像をそれぞれ点滅させる画像点滅部であることを特徴とする請求項１又は２に記載の自覚式検眼装置。
【請求項４】
前記報知手段は、前記各画像が切り替わったときに音声を出力することにより前記検査の種類及び前記検査データの変更を知らせる音声出力部であることを特徴とする請求項１乃至３のいずれか一項に記載の自覚式検眼装置。  
【発明の詳細な説明】
【技術分野】
【０００１】
本発明は、被検眼の視機能を被検者の自覚的な判断に基づいて検査するための自覚式検眼装置に関する。
【背景技術】
【０００２】
従来、眼鏡を作成する際に該眼鏡のレンズの屈折度数を定めるために、被検者の各眼の視機能を被検者の応答に基づいて検査するための自覚式検眼装置が知られている（例えば、特許文献１参照。）。このような自覚式検眼装置は、各種の視標を被検眼に呈示するための視標呈示装置と、各種の光学素子を保持し、被検者からの応答に対応した種類の光学素子を被検眼と視標呈示装置との間に選択的に配置する光学素子配置装置と、視標呈示装置及び光学素子配置装置の作動を制御するコントローラとを備える。被検者は、視標呈示装置により呈示された視標を光学素子を通して見ることによって被検眼の視機能を検査することができる。
【０００３】
コントローラは、裸眼データ及びメガネデータ等の被検眼の各種の検査データを記憶するメモリ部と、球面度テスト及び乱視テスト等の複数の種類の検査のうち実行される検査の種類を示す画像及び検査に用いるためにメモリ部から選択された検査データの種類を示す画像がそれぞれ表示される表示部とを有し、選択された検査データの種類に応じて光学素子の配置を制御する。
【０００４】
例えば検者による操作により検査の種類又は検査データの種類が変更されたとき、表示部に表示された各画像が変更後の検査の種類及び検査データの種類のそれぞれを示す画像に切り替わる。この表示部への各画像の表示の切り替わりを視認することにより、検者は実行されている検査及び該検査に用いられている検査データが変更したことを確認することができる。
【特許文献１】特開２００２−１４３０９２号公報
【発明の開示】
【発明が解決しようとする課題】
【０００５】
しかしながら、検査の種類又は検査データの種類が変更されたとき、表示部に表示される検査の種類及び検査データの種類をそれぞれ示す各画像を単に切り替えることによりそれらが変更されたことを検者に知らせることから、表示部の各画像の切り替えは一瞬であるため、表示部の表示が切り替わったことに検者が気付かない虞がある。
【０００６】
検者が表示部の表示の切り替わりに気付かないと、例えば検者の誤操作により検者が所期していた検査の種類又は検査データの種類とは異なる種類の検査及び検査データを誤って選択した場合、検査の種類又は検査データの種類が変更されたことを知らずに検査を実行してしまうため、行うべき検査以外の検査を行ってしまったり、検査に用いるべき検査データ以外の検査データを用いて検査をしてしまったりしてしまう。このため、検査の種類及び検査データ種類の取り違いによる被検眼の視機能の誤測定を招く。
【０００７】
そこで、本発明の目的は、検査及び検査データの種類の取り違いによる被検眼の視機能の誤測定を招くことなく被検眼の視機能を適正に測定することができる自覚式検眼装置を提供することにある。
【課題を解決するための手段】
【０００８】
上記課題を解決するために、請求項１に記載の発明は、各種の視標を被検眼に呈示する視標呈示装置と、各種の光学素子を保持し、被検者からの応答に対応した種類の前記光学素子を前記被検眼と前記視標呈示装置との間に選択的に配置する光学素子配置装置と、前記視標呈示装置及び前記光学素子配置装置の作動を制御する制御部と、前記被検眼の各種の検査データを記憶するメモリ部と、複数の種類の検査のうち実行される検査の種類を示す画像及び前記検査に用いるために前記メモリ部から選択された前記検査データの種類を示す画像がそれぞれ表示される表示部とを備え、前記検査の種類及び前記検査データの種類の少なくとも一方が他の種類の前記検査及び検査データに変更されることにより前記表示部に表示された前記各画像が前記他の検査の種類及び検査データの種類を示す画像に切り替わったとき、前記表示部への前記各画像の表示の切り替わりを知らせるための報知手段が設けられていることを特徴とする。
【０００９】
請求項２に記載の発明は、請求項１に記載の発明において、各種の前記検査データのうち任意の前記検査データを呼び出すための呼出手段が設けられており、前記報知手段は、前記呼出手段によって前記検査データが呼び出されることにより前記表示部に表示された前記検査データの種類を示す前記画像が呼び出された前記検査データの種類を示す画像に切り替わったとき、その切り替わりを知らせることを特徴とする。
【００１０】
請求項３に記載の発明は、請求項１又は２に記載の発明において、前記報知手段は、前記表示部への前記各画像の表示が切り替わったときに該各画像をそれぞれ点滅させる画像点滅部であることを特徴とする。
【００１１】
請求項４に記載の発明は、請求項１乃至３のいずれか一項に記載の発明において、前記報知手段は、前記各画像が切り替わったときに音声を出力することにより前記検査の種類及び前記検査データの変更を知らせる音声出力部であることを特徴とする。
【発明の効果】
【００１２】
請求項１に記載の発明によれば、検査の種類及び検査データの種類の少なくとも一方が他の種類の検査及び検査データに変更されることにより表示部に表示された各画像が前記他の検査の種類及び検査データの種類を示す画像に切り替わったとき、表示部への各画像の表示の切り替わりを知らせるための報知手段が設けられていることから、表示部に表示された各画像が切り替わったことに例えば検者が気付かない場合でも、報知手段の報知作用により表示部の各画像の切り替わりを検者に確実に知らせることができる。これにより、例えば検者の誤操作により検者が所期していた検査の種類又は検査データの種類とは異なる種類の検査及び検査データを誤って選択した場合でも、検査の種類又は検査データの種類が変更されたことを報知手段により検者に確実に知らせることができるので、従来のような検査の種類及び検査データ種類の取り違いによる視機能の誤測定を招くことなく、被検眼の視機能を適正に測定することができる。
【００１３】
請求項２に記載の発明によれば、各種の検査データのうち任意の検査データを呼び出すための呼出手段が設けられていることから、例えば検査の実行中に該検査に用いている検査データと他の検査データとを比較するとき、呼出手段により前記他の検査データを呼び出すことにより、両検査データを容易に比較することができる。
【００１４】
また、報知手段が、呼出手段によって検査データが呼び出されることにより表示部に表示された検査データの種類を示す画像が呼び出された検査データの種類を示す画像に切り替わったとき、その切り替わりを知らせることから、例えば検者の誤操作により呼出手段によって検査データを呼び出した場合でも、検査データの種類が変更されたことを報知手段により検者に確実に知らせることができるので、従来のような検査データ種類の取り違いによる視機能の誤測定を招くことなく、被検眼の視機能を適正に測定することができる。
【００１５】
請求項３に記載の発明によれば、報知手段が、表示部への各画像の表示が切り替わったときに該各画像をそれぞれ点滅させる画像点滅部で構成されていることから、画像点滅部により各画像を点滅させることにより例えば検者を表示部に注目させることができる。これにより、表示部に表示された各画像が切り替わったことに検者が気付かない場合でも、検査の種類又は検査データの種類が変更されたことを検者に確実に認知させることができるので、従来のような検査の種類及び検査データ種類の取り違いによる視機能の誤測定を招くことをより確実に防止することができる。
【００１６】
請求項４に記載の発明によれば、報知手段が、各画像が切り替わったときに音声を出力することにより検査の種類及び検査データの変更を知らせる音声出力部で構成されていることから、例えば検者が表示部を視認しても表示部に表示された各画像が切り替わったことに気付かない場合でも、検者が音声出力部から出力される音声を聞くことにより検査の種類又は検査データの種類が変更されたことを認知することができる。これにより、従来のような検査の種類及び検査データ種類の取り違いによる視機能の誤測定を招くことをより確実に防止することができる。
【発明を実施するための最良の形態】
【００１７】
本発明を図示の実施例に沿って説明する。
【実施例】
【００１８】
本発明に係る自覚式検眼装置１０は、図１に示すように、各種の視標１１を被検者１２の被検眼に呈示するための視標呈示装置１３と、被検眼の視機能を矯正するための矯正装置１４とを備える。自覚式検眼装置１０は、従来よく知られているように、図示しない眼鏡を作成する際に該眼鏡のレンズの屈折度数を定めるために用いられている。
【００１９】
視標呈示装置１３は、視標１１が表示される表示窓１６が設けられた呈示装置本体１７を備える。表示窓１６に表示される視標１１は、後述するコントローラ１５の操作により選択される。
【００２０】
視標呈示装置１３の被検者１２側には、検眼テーブル１８が配置されており、該検眼テーブルには、該検眼テーブルからその上方へ伸びる支柱１９が設けられている。支柱１９の上部には横方向に伸びるアーム２０が設けられており、該アームに矯正装置１４が取り付けられている。
【００２１】
矯正装置１４は、左右方向に並べて配置された一対のフォロプタ２１を備える。各フォロプタ２１は、それぞれ検眼窓２２が形成されたハウジング２１ａを備える。各ハウジング２１ａ内には、図示しないが従来と同様に、互いに屈折力の異なる複数の光学素子であるレンズが周方向に沿って設けられた環状のレンズディスクが回転可能に収納されている。すなわち、矯正装置１４は、光学素子を被検眼と視標呈示装置１３との間に選択的に配置する光学素子配置装置を構成している。前記各レンズは、前記コントローラの制御下で前記レンズディスクの回転により各検眼窓２２内に選択的に配置される。
【００２２】
更に、本発明に係る自覚式検眼装置１０は、矯正装置１４及び視標呈示装置１３の作動を制御する前記したコントローラ１５を備える。
【００２３】
コントローラ１５は、検眼テーブル１８上に載置されており、図２及び図３に示すように、ＣＰＵ２３及びメモリ部２４を有する演算制御回路２５と、検者２６（図１参照。）により操作される操作部２７と、該操作部に電気的に接続された表示部２８とを備える。操作部２７及び表示部２８は、それぞれ演算制御回路２５に接続されている。ＣＰＵ２３は、矯正装置１４及び視標提示装置１３のそれぞれに設けられた図示しない駆動制御部に接続されている。
【００２４】
演算制御回路２５のメモリ部２４には、裸眼時の被検眼の球面度数、乱視度数及び軸角度等の裸眼データ及び現在使用しているメガネの球面度数、乱視度数及び軸角度等のメガネデータ等の各種の検査データが記憶されている。ＣＰＵ２３は、メモリ部２４から後述するように抽出した検査データの内容に応じて各検眼窓２２内への前記各レンズの配置を制御する。また、メモリ部２４には、球面度テスト及び乱視テスト等の複数の種類の検査を実行するためのプログラムが記憶されている。
【００２５】
操作部２７は、図３に示すように、後述する表示画面３２のデータ表示欄３７に表示される球面度数、乱視度数及び軸角度等の数値を変更するときに操作されるダイヤルスイッチ２９のように検査の設定のための各種スイッチが設けられた操作盤３０と、該操作盤に接続された従来よく知られたマウス３１とを備える。
【００２６】
操作盤３０のダイヤルスイッチ２９が操作されると、ＣＰＵ２３から矯正装置１４の前記駆動制御部に制御信号が送られ、これにより、ダイヤルスイッチ２９の操作により設定された屈折力を有する前記レンズが各フォロプタ２１の検眼窓２２内に配置される。
【００２７】
表示部２８は、図３に示すように、操作部２７の操作盤３０の前記各スイッチの操作により設定された内容を表示する前記した表示画面３２を有する。
【００２８】
表示画面３２は、図示の例では、液晶パネルで構成されている。表示画面３２には、図４に示すように、視標呈示装置１３の表示窓１６に表示される視標１１の一覧が表示される一覧表示欄３３と、検査に用いるべく一覧表示欄３３から選択された視標１１が表示される視標表示欄３４とが設けられている。
【００２９】
また、表示画面３２には、視標表示欄３４に表示された視標１１を用いて実行されている検査の種類が表示される検査名表示欄３５と、検査に用いられている検査データの種類が表示される検査データ名表示欄３６と、該検査データ名表示欄に表示された検査データの内容すなわち各フォロプタ２１の検眼窓２２内に配置された前記レンズの球面度数、乱視度数及び軸角度等の屈折力が表示される前記データ表示欄３７とが設けられている。検査名表示欄３５には、図示の例では、「球面度テスト」が表示されており、検査データ名表示欄３６には、図示の例では、「自覚データ」が表示されており、これにより、球面度テストが自覚データに基づいて実行されることを確認することができる。
【００３０】
一覧表示欄３３に表示された各視標１１には、該各視標を用いて実行される検査の種類及び検査データの種類が視標１１毎にそれぞれ設定されている。
【００３１】
各視標１１にそれぞれ検査の種類及び検査データの種類を設定する際、例えば表示画面３２に表示された図示しないカーソルをマウス３１の操作により一覧表示欄３３内の任意の位置に移動させ、該位置でマウス３１の左ボタン３１ａ（図３参照。）をダブルクリックする。このとき、演算制御回路２５は、一覧表示欄３３内で左ボタン３１ａがダブルクリックされたことを検知すると表示部２８に制御信号を送る。表示部２８は、演算制御回路２５から制御信号を受けると、図５に示すように、各視標１１にそれぞれ検査の種類及び検査データの種類を設定するための設定画面３８を表示画面３２に表示させる。
【００３２】
設定画面３８には、視標１１が一覧表示される視標欄３９と、該視標欄に表示された各視標１１に既に設定された検査名が各視標１１に対応して一覧表示される検査名欄４０とが設けられている。
【００３３】
各視標１１への検査の種類の設定に変更がない場合、マウス３１の操作により前記カーソルを設定画面３８に設けられた保存＆終了ボタン４１上に移動させ、その状態でマウス３１の左ボタン３１ａを押すクリック操作を行う。これにより、各視標１１に設定された検査の種類及び検査データの種類がメモリ部２４に記憶され、各視標１１への検査の種類の設定が終了する。
【００３４】
各視標１１への検査の種類の設定に変更がある場合、対応する検査を変更する視標１１上で前記クリック操作を行う。これにより、視標欄３９及び検査名欄４０に、選択された視標１１及び該視標に対応する検査名（図示の例では、「球面度テスト／遠用視力測定」である。）が反転表示される。更に、設定画面３８に設けられた編集ボタン４２上でクリック操作を行う。編集ボタン４２上でクリック操作されると、図６に示すように、演算制御回路２５の制御下で編集画面４３が表示画面３２に表示される。
【００３５】
編集画面４３には、検査名の一覧が表示された検査名一覧表示欄４４が設けられている。検査名一覧表示欄４４には、設定画面３８で選択された検査名が反転表示されている。
【００３６】
また、編集画面４３には、データ項目ボックス４５、被検眼項目ボックス４６、ＫＢ−１Ｄ項目ボックス４７及び雲霧量項目ボックス４８がそれぞれ設けられている。
【００３７】
データ項目ボックス４５は、既に得られている各種の検査データのうち、いずれの検査データに基づいて検査を行うかを指定するためのボックスである。被検眼項目ボックス４６は、設定画面３８で選択された視標１１により片眼検査及び両眼検査のいずれを行うかを選択するためのボックスである。ＫＢ−１Ｄ項目ボックス４７は、設定画面３８で選択された視標１１を用いて球面度数検査、乱視度数検査、乱視軸検査、水平プリズム検査及び垂直プリズム検査のうちのいずれを行うかを指定するためのボックスである。雲霧量項目ボックス４８は、設定画面３８で選択された視標１１を雲霧させて被検眼に呈示するか否か、雲霧させるのであれば雲霧量をどの程度にするかを選択するためのボックスである。
【００３８】
各ボックス４５，４６，４７，４８には、従来よく知られたドロップダウン矢印４５ａ，４６ａ，４７ａ，４８ａがそれぞれ設けられている。
【００３９】
例えばデータ項目ボックス４５に設けられたドロップダウン矢印４５ａ上でクリック操作を行うと、図７に示すように、各種の検査データが選択可能に表示されたプルダウンメニュー４５ｂが編集画面４３上に表示される。プルダウンメニュー４５ｂには、図示の例では、前記した裸眼データ、例えばオートレフラクトメータを用いて他覚式で測定された他覚データ、前記したメガネデータ、図示しないデータベースから転送された前回の処方データ、自覚検眼データ及び処方データが表示されている。
【００４０】
設定画面３８で選択した視標１１に対応する検査の種類を編集する際、先ず、検査名一覧表示欄４４に表示された検査のうち所望の検査を示す文字上でクリック操作を行うことにより前記所望の検査を選択する。これにより、選択された検査名が反転表示される。次に、各ボックス４５，４６，４７，４８の各プルダウンメニューから所望の項目を選択する。その後、図６に示す編集画面４３に設けられたＯＫボタン４９上でクリック操作を行うことにより、検査の種類及び検査データの種類等が確定され、設定画面３８で選択した視標１１に対応する検査の種類の編集が終了する。最後に、設定画面３８に設けられた保存＆終了ボタン４１上でクリック操作を行うことにより、設定画面３８で選択された視標１１に設定された検査の種類及び検査データの種類がメモリ部２４に記憶され、各視標１１への検査の種類及び検査データの種類の設定が終了する。
【００４１】
実行する検査を、例えば図４に示すような自覚データに基づいて実行される球面度テストからメガネデータに基づいて実行されるＲ／Ｇテストに変更するとき、Ｒ／Ｇテストをメガネデータに基づいて実行するための視標１１を一覧表示欄３３から選択する。
【００４２】
視標１１を一覧表示欄３３から選択する際、所定の視標１１上でクリック操作を行う。このとき、演算制御回路２５のＣＰＵ２３は、一覧表示欄３３に表示された視標１１上でクリック操作が行われたことを検知すると、一覧表示欄３３から選択された視標１１を視標表示欄３４に表示させ、選択された視標１１に設定された検査すなわちＲ／Ｇテスト及び選択された視標１１に設定された検査データすなわちメガネデータをそれぞれ示す画像を検査名表示欄３５及び検査データ名表示欄３６に表示させる旨を示す制御信号を表示部２８に送る。また、ＣＰＵ２３は、メガネデータをメモリ部２４から抽出して、抽出したデータをデータ表示欄３７に表示させる旨を示す制御信号を表示部２８に送る。これにより、視標表示欄３４に表示された視標１１が一覧表示欄３３から選択された視標１１に切り替わり、図９に示すように、検査名表示欄３５及び検査データ名表示欄３６に表示された「球面度テスト」及び「自覚データ：遠用」の表示がそれぞれ選択された視標１１に設定された「Ｒ／Ｇテスト」及び「メガネデータ：遠用」に切り替わり、更に、データ表示欄３７に表示された自覚データの内容がレンズデータの内容に切り替わる。
【００４３】
また、ＣＰＵ２３は、Ｒ／Ｇテストを実行するためのプログラムをメモリ部２４から抽出することにより、実行するプログラムを球面度テスト用のプログラムからＲ／Ｇテスト用のプログラムに変更する。これにより、Ｒ／Ｇテストが実行可能となる。
【００４４】
更に、ＣＰＵ２３は、メガネデータをメモリ部２４から抽出することにより、実行する検査に用いる検査データを自覚データからメガネデータに変更する。これにより、メガネデータに基づくＲ／Ｇテストが実行可能となる。
【００４５】
また、ＣＰＵ２３は、一覧表示欄３３から視標１１がクリック操作により選択されたことを検知すると、選択された視標１１を表示窓１６に表示させる旨の制御信号を視標呈示装置１３の前記駆動制御部に送る。これにより、視標呈示装置１３の表示窓１６には、一覧表示欄３３から選択された視標１１が表示される。
【００４６】
更に、ＣＰＵ２３は、メガネデータに対応するデータをメモリ部２４から抽出すると、そのデータに対応する屈折力を有する前記レンズを各フォロプタ２１の検眼窓２２に配置する旨を示す制御信号を矯正装置１４の前記駆動制御部に送る。これにより、矯正装置１４の各フォロプタ２１の検眼窓２２にメガネデータすなわちデータ表示欄３７に表示されたデータに対応する屈折力を有する前記レンズが各検眼窓２２に配置される。
【００４７】
これにより、実行される検査が球面度テストからＲ／Ｇテストに変更され、検査に用いられる検査データが自覚データからメガネデータに変更され、Ｒ／Ｇテストをメガネデータに基づいて実行することができる。
【００４８】
更に、本実施例では、表示画面３２には、検査の実行中に該検査に用いられている検査データ以外の他の検査データを呼び出すための呼出手段が設けられている。
【００４９】
呼出手段は、図４に示す例では、表示画面３２の下部に設けられた呼出ボタン５０で構成されている。呼出ボタン５０には、「Ｄａｔａ  ｓｅｔ」と記されている。
【００５０】
前記他の検査データを呼び出す際、呼出ボタン５０上でクリック操作を行う。呼出ボタン５０上でクリック操作を行うと、図８に示すように、従来よく知られたプルアップメニュー５１が表示画面３２に表示される。プルアップメニュー５１には、図示の例では、メモリ部２４に記憶された各種の検査データ名と、該各検査データ以外にメモリ部２４に記憶されたデータ名（「メモリ１」、「メモリ２」及び「メモリ３」である。）とが一覧表示されている。
【００５１】
次に、呼び出すデータをプルアップメニュー５１内からクリック操作により選択する。例えばメガネデータが選択された場合、前記したと同様にＣＰＵ２３の制御下で、検査データ名表示欄３６の表示が「自覚データ：遠用」から「メガネデータ：遠用」に切り替わり、データ表示欄３７の表示が自覚データの内容からメガネデータの内容に切り替わり、更に、メガネデータに対応する屈折力を有する前記レンズが各検眼窓２２に配置される。これにより、自覚データに基づいて検査を実行している途中で、該検査に用いられる検査データを自覚データからメガネデータに変更することができ、自覚データとメガネデータとを比較することができる。
【００５２】
本発明に係るコントローラ１５には、検査の種類又は検査データの種類が変更されることにより、表示画面３２の検査名表示欄３５、検査データ名表示欄３６及びデータ表示欄３７のいずれかに表示された内容が他の内容に切り替わったとき、その切り替わりを知らせるための報知手段５２が設けられている。
【００５３】
報知手段５２は、図２に示す例では、表示画面３２の表示を点滅させるための画像点滅部５３と、音声を出力するための音声出力部５４とで構成されている。画像点滅部５３及び音声出力部５４は、それぞれ演算制御回路２５のＣＰＵ２３に接続されている。
【００５４】
画像点滅部５３は、図示の例では、検査名表示欄３５、検査データ名表示欄３６及びデータ表示欄３７のいずれかの表示が切り替わったときにデータ表示欄３７の枠３７ａを点滅させる。
【００５５】
音声出力部５４は、図示の例では、一対のスピーカーで構成されており、図３に示すように、表示部２８に設けられている。また、音声出力部５４は、検査名表示欄３５、検査データ名表示欄３６及びデータ表示欄３７のいずれかの表示が切り替わったときに音声を出力する。
【００５６】
例えば図４に示すように自覚データに基づいて球面度テストを実行しているときに一覧表字欄３３から視標１１を選択することにより、図９に示すように、検査名表示欄３５及び検査データ名表示欄３６の表示が切り替わったとき、切り替わったことを示す信号が表示部２８から演算制御回路２５のＣＰＵ２３に送られる。ＣＰＵ２３は、表示部２８からの信号に基づいて、データ表示欄３７の枠３７ａを点滅させる旨の制御信号を画像点滅部５３に送る。画像点滅部５３は、ＣＰＵ２３からの制御信号に基づいて、表示画面３２の画像処理を行い、図９に示すように、データ表示欄３７の枠３７ａを点滅させる。また、ＣＰＵ２３は、表示部２８からの信号に基づいて、音声を出力する旨の制御信号を音声出力部５４に送る。音声出力部５４は、ＣＰＵ２３からの制御信号に基づいて、「検査データがメガネデータに変更されました。」と音声を出力する。
【００５７】
被検者１２の被検眼の視機能を検査する際、被検者１２は、視標呈示装置１３の表示窓１６に表示された視標１１の文字を各検眼窓１６内に配置された前記各レンズを通して見て、その見え具合を検者２６に応答する。検者２６は、被検者１２の応答に基づいて、各検眼窓２２内に配置する前記レンズを操作部２７の操作により切り替える。これにより、被検眼の視機能が矯正され、作成すべき眼鏡のレンズの屈折度数を定めることができる。
【００５８】
本実施例によれば、前記したように、コントローラに１５に、検査の種類及び検査データの種類の少なくとも一方が他の種類の検査及び検査データに変更されることにより表示部２８の表示画面３２に表示された各画像が前記他の検査の種類及び検査データの種類を示す画像に切り替わったとき、表示画面３２への各画像の表示の切り替わりを知らせるための報知手段５２が設けられていることから、表示画面３２に表示された各画像が切り替わったことに例えば検者２６が気付かない場合でも、報知手段５２の報知作用により表示画面３２の各画像の切り替わりを検者２６に確実に知らせることができる。
【００５９】
これにより、例えば検者２６の誤操作により検者２６が所期していた検査の種類又は検査データの種類とは異なる種類の検査及び検査データを誤って選択した場合でも、検査の種類又は検査データの種類が変更されたことを報知手段５２により検者２６に確実に知らせることができるので、従来のような検査の種類及び検査データ種類の取り違いによる視機能の誤測定を招くことなく、被検眼の視機能を適正に測定することができる。
【００６０】
また、前記したように、各種の検査データのうち任意の検査データを呼び出すための呼出ボタン５０が設けられていることから、例えば検査の実行中に該検査に用いている検査データと他の検査データとを比較するとき、呼出ボタン５０により前記他の検査データを呼び出すことにより、両検査データを容易に比較することができる。
【００６１】
また、報知手段５２が、呼出ボタン５０の操作によって検査データが呼び出されることにより表示画面３２に表示された検査データの種類を示す画像が呼び出された検査データの種類を示す画像に切り替わったとき、その切り替わりを知らせる。これにより、例えば検者２６の誤操作により呼出ボタン５０によって検査データを呼び出した場合でも、検査データの種類が変更されたことを報知手段５２により検者２６に確実に知らせることができるので、従来のような検査データ種類の取り違いによる視機能の誤測定を招くことなく、被検眼の視機能を適正に測定することができる。
【００６２】
更に、前記したように、コントローラ１５は画像点滅部５３を備え、該画像点滅部は表示画面３２への各画像の表示が切り替わったときに該各画像をそれぞれ点滅させることから、各画像を点滅させることにより例えば検者２６を表示画面３２に注目させることができる。これにより、表示画面３２に表示された各画像が切り替わったことに検者２６が気付かない場合でも、検査の種類又は検査データの種類が変更されたことを検者２６に確実に認知させることができるので、従来のような検査の種類及び検査データ種類の取り違いによる視機能の誤測定を招くことをより確実に防止することができる。
【００６３】
また、前記したように、コントローラ１５は音声出力部５４を備え、該音声出力部は表示画面３２への各画像の表示が切り替わったときに音声を出力することにより検査の種類及び検査データの変更を知らせることから、例えば検者２６が表示画面３２を視認しても該表示画面に表示された各画像が切り替わったことに気付かない場合でも、検者２６が音声出力部５４から出力される音声を聞くことにより検査の種類又は検査データの種類が変更されたことをより確実に認知することができる。これにより、従来のような検査の種類及び検査データ種類の取り違いによる視機能の誤測定を招くことをより確実に防止することができる。
【００６４】
本実施例では、画像点滅部５３がデータ表示欄３７の枠３７ａを点滅させる例を示したが、これに代えて、又は、これに加えて、例えばデータ表示欄３７内に表示された数値、検査名表示欄３５の枠、検査名表示欄３５に表示された文字、検査データ名表示欄３６の枠、検査データ名表示欄３６に表示された文字等を画像点滅部５３により点滅させることができる。
【００６５】
また、本実施例では、報知手段５２がコントローラ１５に設けられた例を示したが、これに代えて、コントローラ１５以外の装置に報知手段５２を設けることができる。
【００６６】
更に、本実施例では、音声出力部５４が表示部２８に設けられた例を示したが、これに代えて、例えば音声出力部５４をコントローラ１５に電線を介して接続したり、表示部２８以外の部材に設けたりすることができる。
【００６７】
また、本実施例では、報知手段５２が画像点滅部５３及び音声出力部５４で構成された例を示したが、これに代えて、検査の種類及び検査データの種類の少なくとも一方が変更されることにより表示部２８の表示画面３２に表示される各画像が変更後の検査の種類及び検査データの種類を示す画像に切り替わったとき、表示画面３２への各画像の表示の切り替わりを知らせることができる手段であれば、画像点滅部５３及び音声出力部５４以外の手段を本発明に適用することができる。
【００６８】
更に、本実施例では、呼出ボタン５０が表示画面３２に設けられた例を示したが、これに代えて、例えば呼出ボタン５０を操作盤３０のように表示画面３２以外の部材に設けることができる。
【００６９】
また、本実施例では、呼出手段が表示画面３２に設けられた呼出ボタン５０で構成された例を示したが、これに代えて、検査の実行中に該検査に用いられている検査データ以外の他の検査データを呼び出すことができる手段であれば、呼出ボタン５０以外の手段を本発明に適用することができる。
【図面の簡単な説明】
【００７０】
【図１】本発明に係る自覚式検眼装置を概略的に示す斜視図である。
【図２】本発明に係る自覚式検眼装置を概略的に示すブロック図である。
【図３】本発明に係るコントローラを概略的に示す平面図である。
【図４】本発明に係る表示部の表示画面を概略的に示す正面図である。
【図５】各視標にそれぞれ検査の種類及び検査データの種類を設定するための設定画面を概略的に示す正面図である。
【図６】各視標への検査の種類の設定を変更するための編集画面を概略的に示す正面図である。
【図７】本発明に係る検査データ項目ボックスに設けられたプルダウンメニューが表示された状態を概略的に示す正面図である。
【図８】本発明に係る呼出ボタンに設けられたプルアップメニューが表示された状態を概略的に示す正面図である。
【図９】本発明に係る画像点滅部によりデータ表示欄の枠が点滅している状態を概略的に示す正面図である。
【符号の説明】
【００７１】
１０  自覚式検眼装置
１１  視標
１３  視標呈示装置
１４  光学素子配置装置（矯正装置）
２３  制御部（ＣＰＵ）
２４  メモリ部
２８  表示部
５０  呼出手段（呼出ボタン）
５２  報知手段
５３  画像点滅部
５４  音声出力部
【図１】
2007267821.tif 000003
【図２】
2007267821.tif 000004
【図３】
2007267821.tif 000005
【図４】
2007267821.tif 000006
【図５】
2007267821.tif 000007
【図６】
2007267821.tif 000008
【図７】
2007267821.tif 000009
【図８】
2007267821.tif 000010
【図９】
2007267821.tif 000011